【事件の表示】
　平成　８年特許願第１５８２１９号「出玉表示機構を備えた遊技台」拒絶査定不服審判事件〔平成１０年　１月１３日出願公開、特開平１０−　　５４３３〕について、次のとおり審決する。
【結　論】
　
　本件審判の請求は、成り立たない。
【理　由】
　
第１．手続の経緯
　
　本件の経緯概要は以下のとおりである。
　
特許出願　平成８年６月１９日
審査請求　平成１５年６月１６日
拒絶理由　平成１９年２月２１日
手続補正　平成１９年４月２５日
拒絶査定　平成１９年５月１７日
審判請求　平成１９年６月２１日
手続補正　平成１９年７月２０日
　
第２．平成１９年７月２０日付の手続補正についての補正却下の決定
　
［補正却下の決定の結論］
　
　平成１９年７月２０日付の手続補正（以下「本件補正」という。）を却下する。
　
［理由］
　
１．本件補正の内容
　
　本件補正前後の特許請求の範囲の記載は次のとおりである。
　
［本件補正前の請求項１］
「台間貸機を挟持するとともに前方に前板を設けて遊技台列を構成する複数の遊技台であって、
　前記各遊技台に対応する前板上に専用玉箱が載置され、該専用玉箱からの遊技媒体を各遊技台毎に設けられた玉計数器にて計量するものにおいて、
　前記遊技台又は遊技台列若しくはこれらの近傍には前記出玉計数器にて計量された出玉数に応じて出玉表示を行う出玉表示機構が備えられ、
　前記出玉表示機構は、前記出玉表示を、少なくとも専用玉箱の箱単位毎に表示部の数を増減させるボリューム表示によって行い、かつ、該表示部の表示態様を動的に変化させるダイナミック表示によって行う
　ことを特徴とする遊技台。」
　
［本件補正後の請求項１］
「台間貸機を挟持するとともに前方に前板を設けて遊技台列を構成する複数の遊技台であって、
　前記各遊技台に対応する前板上に専用玉箱が載置され、該専用玉箱からの遊技媒体を各遊技台毎に設けられた玉計数器にて計量するものにおいて、
　前記遊技台又は遊技台列若しくはこれらの近傍には前記出玉計数器にて計量された出玉数に応じて出玉表示を行う出玉表示機構が備えられ、
　前記出玉表示機構は、
　前記出玉表示を、少なくとも専用玉箱の箱単位毎に点滅させる表示部の数を増減させるボリューム表示によって行い、かつ、点滅させる表示部が複数の場合に各表示部が連続的に点滅を繰り返すダイナミック表示によって行うとともに、
　前記表示部が前記遊技台と当該遊技台上方の幕板との間に屈曲自在に取り付けられたものである
　ことを特徴とする遊技台。」
　
２．補正の適否
　
　まず、補正の適否について検討する。
　
　本件補正後の請求項１は、本件補正前の請求項１を特定する事項について、以下の限定を行っている。
・「表示部」を「点滅させる表示部」と限定
・「表示部」について「前記遊技台と当該遊技台上方の幕板との間に屈曲自在に取り付けられたもの」という限定を付加
　上記の補正事項は、明らかに限定的減縮に相当する。
　
　さらに、本件補正後の請求項１は、本件補正前の請求項１における「ダイナミック表示」について、「該表示部の表示態様を動的に変化させる」とあったものを、「点滅させる表示部が複数の場合に各表示部が連続的に点滅を繰り返す」に変更している。
　これについては、請求人が審判請求書において「「ダイナミック表示」の内容を明確に特定し得るようにするためのもので、その要旨を変更するものではない。つまり、かかる補正部分は、拒絶査定での指摘事項に対応したものであり」と主張しており、確かに拒絶査定の備考欄において「「表示部の表示態様を動的に変化させるダイナミック表示」…と記載されているが、それぞれどのような構成か明確に特定することができない。」と指摘されているから、この点の補正は、請求人の主張のとおり、明瞭でない釈明に該当すると判断することができる。
　
　よって、請求項１にかかる本件補正は、補正の目的要件を満たすものであり、そして、特許請求の範囲を限定的に減縮する補正事項を含むものであるから、本件補正後の請求項１に係る発明（以下「本願補正発明」という。）が独立して特許を受けることができるものであるかについて、以下検討することとする。
　
３．引用例
　
　原査定の拒絶の理由に引用された特開平５−６８７４０号公報（以下「引用文献１」という。）には図面と共に以下の技術事項が記載されている。
　
【請求項１】  島を構成する形で膳板（３０）に沿って多数のパチンコ遊技機（６）を配置したパチンコ装置において、各パチンコ遊技機（６）に対応して膳板（３０）に多数の計数装置（４０、５２、５４）を設けたことを特徴とするパチンコ装置。
【００１６】図２に示すように、玉貸機１００は、隣り合う２台のパチンコ遊技機６の間に設けられている。これは、手持ちの遊技玉がなくなった時に、必要に応じて硬貨を入れることにより、新規に遊技玉を遊技者に貸出すためのものである。
【００１８】各パチンコ遊技機４の上方には、トラブル表示ランプ８及び表示装置１０などが設けられている。
【００２０】表示装置１０は、図３に示すように幕板フレーム１８に対して支持板２０，２２を用いて固定されている。
【００２１】図２と図３に示すように、表示装置１０は、複数の発光セグメント２４，２５，２６，２７，２８から成る。発光セグメント２４〜２８は、図示例では、たて方向に５段つみ重ねられている。
【００２２】賞品玉５０の量に対応して、たとえば下の段の表示セグメント２７から他のセグメント２５，２８，２６，２４と順次点灯するようになっている。
【００２３】各表示セグメントは、例えば賞品玉５０が１０００個増える毎に点灯して行き、１０００個減る毎に消灯してゆく。したがって、表示装置１０は、この図示例では最高５０００個まで１０００個ごとに表示する。
【００２４】各表示セグメント２４〜２８は、好ましくは２種類の別々の色を発光する発光インジケータを備えている。各表示セグメントの各発光インジケータは、好ましくは１つの発光インジケータが５００個分の賞品玉５０を表す。
【００２６】図３と図４に示すように、膳板３０の上には、下皿３２の下方位置に玉箱３４が置かれている。玉箱３４はスライド形の開閉手段３６を備えている。
【００２８】ある量の、たとえば約３０００個の賞品玉５０が玉箱３４に入ったところで、遊技者は玉箱３４を図４の状態から矢印Ｃの方向に移動し、そのあと矢印Ｂの方向にもどす。これにより玉箱３４の玉投入口６６が開いて、賞品玉５０がボックス４０に入り、センサ５２で順次検知され、カウンタ５４でカウントされる。カウント値は記憶処理部５６で記憶される。
【００３２】ところで、図４のカウンタ５４により計数された賞品玉の数に応じて、表示装置１０の表示セグメント２４、２６、２８が順次点灯する。もし払戻した玉があれば、その払い戻した玉の量に対応してその分の表示セグメントは払戻した時に消灯する。たとえば記憶部５６が残り２０００個の賞品玉を記憶しておれば、下方の２つの表示セグメント２５と２７が点灯する。
【００３４】
変形例
この発明は上述の実施例に限定されない。たとえば、図５のように表示装置１１０を構成することもできる。表示装置１１０は幕板フレーム１１８に対してサポート１４０を介して支持されている。表示装置１１０は５つの表示セグメント１２４，１２６，１２８，１３０，１３２を有している。
　
　引用文献１における記載事項及び図面を総合的に勘案すると、引用文献１には、次の発明（以下、「引用発明」という。）が記載されている。
　
「玉貸機１００が隣り合う２台のパチンコ遊技機６の間に設けられ、島を構成する形で膳板３０に沿って多数のパチンコ遊技機６を配置したパチンコ装置において、
　各パチンコ遊技機６に対応して膳板３０に多数の計数装置４を設け、
　膳板３０の上には、下皿３２の下方位置に玉箱３４が置かれ、玉箱３４の玉投入口６６が開いて、賞品玉５０がボックス４０に入り、センサ５２で順次検知され、カウンタ５４でカウントされ、
　各パチンコ遊技機４の上方には表示装置１０が設けられ、表示装置１０は幕板フレーム１８に対して固定されており、
　表示装置１０は、たて方向に５段つみ重ねられている複数の表示セグメント２４〜２８から成り、カウンタ５４により計数された賞品玉５０の量に対応して、たとえば下の段の表示セグメントから順次点灯し、各表示セグメントは、例えば賞品玉５０が１０００個増える毎に点灯して行き、１０００個減る毎に消灯してゆく
パチンコ装置。」
  
４．対比
　
　本願補正発明と引用発明を対比する。
　引用発明における「玉貸機１００」は、本願補正発明における「台間貸機」に相当し、以下同様に「膳板３０」は「前板」に、「玉箱３４」は「専用玉箱」に、「賞品玉５０」は「遊技媒体」に、「表示装置１０」は「出玉表示機構」にそれぞれ相当する。
　本願補正発明においては「…複数の遊技台であって、…出玉表示機構が備えられ、…ことを特徴とする遊技台。」とあるから、「遊技台」は少なくとも出玉表示機構を備えることが構成要件となっている。一方、引用発明は「…パチンコ遊技機６を配置したパチンコ装置において、各パチンコ遊技機４の上方には表示装置１０が設けられ…パチンコ装置。」とあるから、「パチンコ装置」が「パチンコ遊技機６」と「表示装置１０」を備えており、よって、引用発明における「パチンコ装置」は本願補正発明における「遊技台」に相当する。そして、引用発明における「パチンコ遊技機６」は、本願補正発明の「遊技台」の構成要素の一部に該当する。
　引用発明においては、「玉貸機１００が隣り合う２台のパチンコ遊技機６の間に設けられ」ており、上記したように「パチンコ遊技機６」は「遊技台」の一部であるから、本願補正発明同様に、遊技台が「台間貸機を挟持」しているものであると認められる。
　引用発明においては「下皿３２の下方位置」に玉箱３４が置かれており、下皿はパチンコ遊技機６に付属するものであるから、本願補正発明における「前記各遊技台に対応」して専用玉箱が載置される点は満たしている。
　引用発明においては、賞品玉５０を「センサ５２で順次検知され、カウンタ５４でカウント」しており、ここで「カウント」する点は本願補正発明における「計量」する点に相当するから、引用発明における「計数装置４」は本願補正発明における「玉計数機」及び「出玉計数器」の両者（本願補正発明においては両者の語句があるが、片方は誤記であると判断できる。）に相当する。
　引用発明における「各パチンコ遊技機４の上方」とは、上記したように「パチンコ遊技機６」は「遊技台」の一部であるから、本願補正発明における「前記遊技台又は遊技台列若しくはこれらの近傍」に相当する。
　引用発明においては、表示装置１０は「カウンタ５４により計数された賞品玉５０の量に対応して、たとえば下の段の表示セグメントから順次点灯」するから、本願補正発明における、出玉表示機構が「前記出玉計数器にて計量された出玉数に応じて出玉表示を行う」点に相当する。
　引用発明においては「各表示セグメントは、例えば賞品玉５０が１０００個増える毎に点灯して行き、１０００個減る毎に消灯してゆく」とあり、表示セグメントの点灯数が増減することは明らかであるから、「表示部の数を増減させるボリューム表示によって行う」という点で本願補正発明と共通する。
　
　したがって、両者は
「台間貸機を挟持するとともに前方に前板を設けて遊技台列を構成する複数の遊技台であって、
　前記各遊技台に対応する前板上に専用玉箱が載置され、該専用玉箱からの遊技媒体を各遊技台毎に設けられた玉計数器にて計量するものにおいて、
　前記遊技台又は遊技台列若しくはこれらの近傍には前記出玉計数器にて計量された出玉数に応じて出玉表示を行う出玉表示機構が備えられ、
　前記出玉表示機構は、
　前記出玉表示を、表示される表示部の数を増減させるボリューム表示によって行う
遊技台。」
の点で一致し、以下の点で相違する。
　
［相違点１］
　本願補正発明においては「ボリューム表示」を「専用玉箱の箱単位毎に点滅させる表示部」を増減することによって行っているのに対して、引用発明は「ボリューム表示」を、表示セグメントの点灯及び消灯によって行っている点。
　
［相違点２］
　本願補正発明においては「点滅させる表示部が複数の場合に各表示部が連続的に点滅を繰り返すダイナミック表示」によって出玉表示を行っているのに対して、引用発明においては、表示装置１０が複数の表示セグメントから成っているが、その余の構成はない点。
　
［相違点３］
　本願補正発明においては「前記表示部が前記遊技台と当該遊技台上方の幕板との間に屈曲自在に取り付けられたもの」であるのに対して、引用発明においては、表示装置１０は幕板フレーム１８に対して固定されている点。
　
５．相違点の判断
　
　上記相違点１〜３について検討する。
　
［相違点１について］
　
　引用発明においては、「１０００個増える毎」、「１０００個減る毎」とあるが、引用文献１の段落【００２４】には「１つの発光インジケータが５００個分の賞品玉５０を表す」といった例も記載されており、増減を表す表示（発光）の単位は設計事項に過ぎないから、「専用玉箱の箱単位毎」とすることも適宜決定できたことである。
　また、引用発明は、「点灯」、「消灯」といった表示態様であるが、「点滅」といった表示態様も例を挙げるまでもなく慣用されているから、これを選択することも適宜設計できたことである（必要であれば、後記の［相違点２について］も参照）。
　
　よって、本願補正発明の相違点１にかかる構成とすることは、引用発明に基づき遊技台の分野における通常の知識を有する者（以下「当業者」という。）にとって容易に想到できたことである。
　
［相違点２について］
　
　引用発明においては、表示装置１０が複数の表示セグメントから成っているから、引用発明も「表示部が複数」あるものであって、そして各表示部をどのように発光させるかは、当業者にとって適宜設計できることである。
　また、表示部が複数ある場合において、連続的に点滅させる発光方法も例えば特開平４−６４３８０号公報（４ページ左上欄１〜３行目）にもあるように周知慣用の方法に過ぎないから、そのような手法を採用することも適宜なし得ることであり、そして連続的に点滅させることを「繰り返す」ことも、当業者にとって設計事項である。
　
　よって、本願補正発明の相違点２にかかる構成とすることは、引用発明及び周知慣用方法に基づいて、当業者にとって容易に想到できたことである。
　
［相違点３について］
　
　新たに引用する特開平２−２９１８８８号公報（以下「引用文献２」という。）には図面と共に以下の技術事項が記載されている。
　
「まず、第６図を参照して、実施例に係る呼出表示装置が適用されるパチンコ島台について説明する。図において、パチンコ島台１には、多数のパチンコ機２と玉貸機３とが交互に設置され、各パチンコ機２の上部には、それぞれに対応して実施例に係る呼出表示装置１０が取付けられている。」（公報２ページ左下欄）
「更に、呼出表示装置の他の実施例（以下、第３実施例という）として、第４図に示す呼出表示装置５０であってもよい。この呼出表示装置５０について説明すると、呼出表示装置５０は、長方形状の枠体５１を主構成部とし、その枠体５１の上部に平板状の呼出ランプ表示部５２が構成され、その下部にやはり平板状の平板面部５４が構成されている。呼出ランプ表示部５２には、呼出ランプ５３が内蔵され、平板面部５４には、呼出スイッチ５５及び台番号表示部５６が設けられている。一方、枠体５１の一端部上下には、軸支部５７ａ，５７ｂが形成され、この軸支部５７ａ，５７ｂに特別入賞表示部材５８が軸ピン５９で開放自在に軸支されている。なお、特別入賞表示部材５８は、閉じたときに前記呼出ランプ表示部５２の前面を覆うように設けられるとともに、常に開放するように図示しないスプリングで付勢されている。また、特別入賞表示部材５８の開放側端部には、保合部６０が突設され、この係合部６０が枠体５１の他端部に内蔵された錠装置６２と係合するようになっている。この錠装置６２は、開錠信号によって駆動される開錠ソレノイド６１によって作動されるようになっている。なお、開錠信号として、大当りとなったことを検出する検出信号であってもよいし、あるいは、枠体５１の上部に設けられる開錠ボタン６３からの信号であってもよい。
　また、特別入賞表示部材５８には、第１実施例及び第２実施例と同様に大当り表示ランプ６４及び大当り回数表示ランプ６５が設けられている。
　以上説明した第３実施例に係る呼出表示装置５０は、例えば、第５図に示す制御回路に基づいて制御される。これについて説明すると、まず、パチンコ遊技において、トラブルが生じたときに遊技客が呼出スイッチ５５を押圧すると、その信号が呼出ランプ点灯・点滅回路７２に送られ、呼出ランプ５３を点灯する。一方、パチンコ機２において、パチンコ遊技が特別入賞状態となると、その信号が特別入賞検出回路７０から呼出ランプ点灯・点滅回路７２に送られ、呼出ランプ５３及び大当り表示ランプ６４を点滅させる。このとき特別入賞検出回路７０からの信号は、同時にソレノイド駆動回路７３及び記憶回路７４に送られる。ソレノイド駆動回路７３に信号が送られると、開錠ソレノイド６１が駆動されて錠装置６２と係合部６０との係合が解除され、特別入賞表示部材５８が図示しないスプリングの付勢力により直角方向に開放する。一方、記憶回路５４に信号が送られると、記憶回路５４に記憶されている情報（大当り回数情報）が記憶表示装置出力回路７５を介して記憶表示装置である大当り回数表示ランプ６５に表示される。
　このように第３実施例に係る呼出表示装置５０は、特別入賞状態（大当り）になると自動的に特別入賞表示部材５８を開放するように構成することができる。なお、特別入賞状態を検出する方法として、特別入賞検出回路７０に代えて、遊技盤に設けられて特別入賞状態となったときに点滅するランプから発せられる光を検出する光センサー７１からの信号により呼出表示装置５０を駆動させるようにしてもよい。また、呼出表示装置５０には、必要に応じて前記記憶回路７４に記憶されている大当り回数情報をリセットするリセットボタン７６を設けてもよい。」（公報４ページ右上欄〜５ページ左上欄）
　
　また、引用文献２の第６図を参照すれば、図面には符号がないが、パチンコ島台１の上部に横長状の板状部が描かれており、これが本願補正発明における「幕板」に相当することは当技術分野の常識事項である（例えば引用文献１において第１〜３図における「幕板フレーム１８」も参照）から、よって呼出表示装置１０はパチンコ機２と幕板の間に設けられていると認められる。そして、引用文献２の第３実施例における呼出表示装置５０が第６図の呼出表示装置１０に相当し、特別入賞表示部材５８は呼出表示装置５０に設けられているものである。
　
　以上によれば、引用文献２には
・特別入賞表示部材５８が、枠体５１の軸支部５７に軸ピン５９で開放自在に軸支されている点
・特別入賞表示部材５８には、大当り表示ランプ６４及び大当り回数表示ランプ６５が設けられ、パチンコ遊技が特別入賞状態となると大当り表示ランプ６４を点滅させると共に、大当り回数情報が大当り回数表示ランプ６５に表示される点
・特別入賞表示部材５８がパチンコ機２と幕板の間に設けられている点
（以下「引用文献２記載の技術」という。）が開示されていると認められる。
　
　ここで、引用文献２記載の技術における「特別入賞表示部材５８」は、大当り表示ランプ６４及び大当り回数表示ランプ６５を備えており、遊技に関連する情報を表示し、かつランプも備えている点で、引用発明の表示装置と共通するものであって、また「軸支部５７に軸ピン５９で開放自在に軸支されている」ものであるから、本願補正発明における「屈曲自在に取り付けられたもの」に相当する。
　
　よって、引用発明の表示装置１０に対して引用文献２記載の技術を適用して、本願補正発明の相違点３にかかる構成とすることは、当業者にとって容易に想到できたことである。
　
［相違点の判断のむすび］
　
　よって、本願補正発明の相違点１〜３にかかる構成とすることは、引用発明、引用文献２記載の技術及び周知慣用方法に基づき、当業者が容易に想到できたことであるから、本願補正発明は、当業者が容易に発明をすることができたものである。
　また、本願補正発明の作用効果も、引用発明、引用文献２記載の技術及び周知慣用方法から当業者が予測できる範囲のものである。
　
　よって、本願補正発明は、特許法第２９条第２項の規定により独立して特許を受けることができないものである。
　
６．むすび
　
　したがって、本願補正発明は、特許法第２９条第２項の規定により独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するものであるから、同法第１５９条第１項において読み替えて準用する同法第５３条第１項の規定により却下すべきものである。
　よって、結論のとおり決定する。  
　
第３．本願発明について
　
１．本願発明
　
　本件補正は上記のとおり却下されたので、本願の請求項１に係る発明（以下、「本願発明」という。）は、上記第２．［理由］１．において、本件補正前の請求項１として記載したとおりのものである。
　
２．引用例
　
　原査定の拒絶の理由において引用された引用文献１及びその記載事項は、上記第２．［理由］３．に記載したとおりのものである。
　
３．対比
　
　本願発明と引用発明を対比する。
　上記第２．［理由］４．も参照すれば、両者は
「台間貸機を挟持するとともに前方に前板を設けて遊技台列を構成する複数の遊技台であって、
　前記各遊技台に対応する前板上に専用玉箱が載置され、該専用玉箱からの遊技媒体を各遊技台毎に設けられた玉計数器にて計量するものにおいて、
　前記遊技台又は遊技台列若しくはこれらの近傍には前記出玉計数器にて計量された出玉数に応じて出玉表示を行う出玉表示機構が備えられ、
　前記出玉表示機構は、前記出玉表示を、表示部の数を増減させるボリューム表示によって行う
遊技台。」
の点で一致し、以下の点で相違する。
　
［相違点１］
　本願発明においては「ボリューム表示」を「専用玉箱の箱単位毎に」表示部の数を増減することによって行っているのに対して、引用発明はかかる構成がない点。
　
［相違点２］
　本願発明においては「該表示部の表示態様を動的に変化させるダイナミック表示」によって出玉表示を行っているのに対して、引用発明にはかかる構成がない点。
　
４．相違点の判断
　
　上記相違点１，２について検討する。
　
［相違点１について］
　
　引用発明においては、「１０００個増える毎」、「１０００個減る毎」とあるが、引用文献１の段落【００２４】には「１つの発光インジケータが５００個分の賞品玉５０を表す」といった例も記載されており、増減を表す表示（発光）の単位は設計事項に過ぎないから、「専用玉箱の箱単位毎」とすることも適宜決定できたことである。
　
　よって、本願発明の相違点１にかかる構成とすることは、引用発明に基づき当業者にとって容易に想到できたことである。
　
［相違点２について］
　
　本願発明の相違点２にかかる構成では「表示部の表示態様を動的に変化させるダイナミック表示」とあるが、「表示態様を動的に変化」とは具体的にどのような表示態様であるか不明瞭である。
　これについて、発明の詳細な説明を参照すれば、ダイナミック表示に関して、以下のような記載がある。
　
「その出玉数（玉箱数単位）に応じて増減表示（ダイナミックに表示）」（段落【００１３】）
「発光部を増減させ、かつ連続して発光（ダイナミック表示）させる。」（段落【００１３】）
「その上各枡を上下又は左右連続的に発光させることでダイナミックな表示が可能となる。」（段落【００１４】）
「桁数を増し、かつ点滅表示等によりダイナミックな表示が可能となる。」（段落【００１４】）
「上記パチンコ台１による出玉のダイナミックな表示を図２により説明する。…図例の如く３段目までの発光部（面発ＬＥＤ）が連続して発光を繰り返す。」（段落【００１５】、【００１７】）
「各トップランプ３１ａが連続的に点滅をくり返すことで大当りをダイナミックに表現する。」（段落【００１９】）　
　
　以上によれば、発光部の数を増減する例、連続して発光又は点滅する例、さらに発光又は点滅を繰り返す例等が記載されており、いずれもダイナミック表示に相当すると判断できる。
　
　そして、引用発明においても「各表示セグメントは、例えば賞品玉５０が１０００個増える毎に点灯して行き、１０００個減る毎に消灯してゆく」とあり、表示セグメントの点灯数が増減することは明らかである。そして、点灯数が増減することは「表示態様が変化」と云え、詳細な説明の記載を参酌すれば、引用発明の当該表示態様も「ダイナミック表示」に相当するものである。
　なお、仮に「表示態様が動的に変化」とは、連続して発光又は点滅を繰り返すことであったとしても、引用発明における表示装置１０は複数の表示セグメントから成っており、そして各表示セグメントをどのように発光させるかは当業者にとって適宜設計できることであって、また、複数の表示部を連続的に点滅させる発光方法も例えば特開平４−６４３８０号公報（４ページ左上欄１〜３行目）にもあるように周知慣用の方法に過ぎないから、そのような手法を採用することも適宜なし得ることであり、さらに連続的に点滅させることを「繰り返す」ことも、当業者にとって設計事項である。
　
　よって、本願発明の相違点２にかかる構成とすることは、引用発明及び周知慣用方法に基づいて、当業者にとって容易に想到できたことである。
　
［相違点の判断のむすび］
　
　よって、本願発明の相違点１，２にかかる構成とすることは、引用発明及び周知慣用方法に基づき、当業者が容易に想到できたことであるから、本願発明は、当業者が容易に発明をすることができたものである。
　また、本願発明の作用効果も、引用発明及び周知慣用方法から当業者が予測できる範囲のものである。
　
　したがって、本願発明は、原査定の理由に基づき、特許法第２９条第２項の規定により特許を受けることができないものである。
　
第４．むすび
　
　以上のとおり、本件補正は却下され、そして、本願発明は特許法第２９条第２項の規定により特許を受けることができないものであるから、請求項２以下について検討するまでもなく、本願は拒絶を免れない。  
　
　よって、結論のとおり審決する。